(57)【要約】【課題】複数の人が隣り合って利用する座席において、下肢を脱力して着座していると、膝が開き隣席の人と膝頭が接触しやすい。このため、膝頭が接触しない構造をもった座席を提供する。【解決手段】着座時に、膝頭の側面を堰き止めて過度に膝が開くのを防ぐための、格納可能な膝受け突出部を設けた座席であることを特徴とする。【選択図】          図２
0003155123.tif 000002
【実用新案登録請求の範囲】
【請求項１】
座部前方の隣席との境界部分、すなわち座部前方の右角または左角または両角に、
膝の側面７１を受け止めて過度に膝が開くのを防ぎ、
隣席の客の専有スペースに膝が侵入するのを防ぐための、
格納可能な膝受け突出部２０を設けた、
一人掛けまたは複数人掛けの座席
【請求項２】
膝受け突出部２０ａの一端に回転軸受け２１ａを設け、
座枠３０の側枠３１の前端には回転軸３２ａを側枠３１と垂直に設け、
座枠３０の回転軸３２ａに膝受け突出部２０ａの回転軸受け２１ａを装着し、
膝受け突出部２０ａを回転により座席の側部または座席の下に格納できるようにした、請求項１に記載の座席
【請求項３】
座枠をクッション材と表皮材で被膜した座部をもつ座席において、
クッション材と表皮材で被膜した膝受け突出部２０ｂの骨格部２４の一端に回転軸受け２１ｂを設け、
座枠３０の側枠３１の前端には回転軸３２ｂを側枠３１と垂直に設け、
座枠３０の回転軸３２ｂに、膝受け突出部２０ｂの回転軸受け２１ｂを装着し、
膝受け突出部２０ｂを格納するための座部１０の凹部１３を設け、
膝受け突出部２０ｂを座部１０から回転により引き起こすことができ、
それによって着座時の過度の開脚を防ぐことができる、
請求項１に記載の座席。  
【請求項４】
座枠をクッション材と表皮材で被膜した座部をもつ座席において、
座枠３０の側枠３１の前端にはすべり軸受け３３を設け、
膝受け突出部２０ｃの胴部骨格２２をすべり軸としてすべり軸受け３３に装着し、
膝受け突出部２０ｃの頭部骨格２３をクッション材と表皮材で被膜し、
膝受け突出部２０ｃを格納するための座部の穴１４を隣席との境界部の前端に設けた、
膝受け突出部２０ｃを座部１０から引き出すことができ、
それによって着座時の過度の開脚を防ぐことができる、
請求項１に記載の座席。
【請求項５】
手摺を備えた座席において、
手摺５０の一部が回転またはスライドにより、手摺５０の前端から前方斜め下に伸び、着座時の過度の開脚を防ぐための膝受け突出部２０ｄとして機能する、
一人掛けまたは複数人掛けの座席
【考案の詳細な説明】
【技術分野】
【０００１】
本考案は、着座時に過度に膝が開くのを防ぐための構造をもった座席に関する。
【背景技術】
【０００２】
自動車、電車、航空機、客船、劇場、講堂、映画館など複数の人が隣り合って座る座席において、人体の膝頭から股関節にかけての部分のうち、座席と接触するのは、臀部近くの大腿部後方（ひざの後ろ側のお尻に近い部分）に限られていた。そして、従来の座席は、着座時の過度の開脚を防ぐための構造を持たなかった。
【考案の概要】
【考案が解決しようとする課題】
【０００３】
自動車、電車、航空機、客船、劇場、講堂、映画館など、限られた室内により多くの人を収容する必要のある座席では、座席上のみならず、座席の前の空間においても、一人の人間が専有できる横幅は限られている。しかし、座席に着座し、下肢を脱力すると、下肢は外旋しやすい。（ガニ股状に膝が開きやすい。）体格に比較して座部の低い座席ほど、また、座部面積の小さい座席ほど、この傾向は強い。このため隣席にも客がいる場合、下肢を脱力した状態で座席に座っていると、膝が開くことにより、膝頭の側面が隣席の客と接触し、互いに不快な思いをする事があった。
【０００４】
従来の座席には、隣席の客の専有スペースへの膝頭の侵入を防ぐための構造はない。隣席の客との膝の接触を防ぐためには、股関節の内転筋や内旋筋を用いて、膝が開かないように、力を加え続けていなければならず、長時間の着座で、疲労を感じることも少なくなかった。こういった現象は、5人乗りの乗用車において後部座席に3人が座る場合や、旅客機のエコノミークラスにおいて隣席に乗客がいる場合など、より顕著に表れた。また、脚の長い人や太い大腿部を持つ人にとっては、より頻繁に起こることでもあった。本考案は以上の欠点を軽減するため、着座時に過度に膝が開くのを防ぐための構造を設けた座席に関するものである。
【課題を解決するための手段】
【０００５】
本出願のすべての文中において、「座席」とは、座る場所としての概念を表す言葉、すなわち「席」を意味するものではない。坐して用いる道具、すなわち物品を意味する言葉として用いている。
【０００６】
請求項１に記載の本考案は、膝の側面７１を受け止めて過度に膝が開くのを防ぎ、隣に座る人の専有スペースに膝が侵入するのを防ぐための、格納可能な膝受け突出部２０を設けた、一人掛けまたは複数人掛けの座席である。膝受け突出部２０の装着場所は、一人掛けの座席においても複数人掛けの座席（ベンチシート）においても、座部１０の前方の隣席との境界部分、すなわち一人分の座部１０の前方の右角または左角または両角である。
【０００７】
請求項２に記載の本考案は、膝受け突出部２０ａの一端には回転軸受け２１ａを設け、座枠３０の側枠３１の前端には回転軸３２ａを側枠３１と垂直に設け、座枠３０に膝受け突出部２０ａを装着した座席である。すなわち、回転により座部側面１７または座席の下に格納できる膝受け突出部２０ａを設けた、請求項１に記載の座席の応用である。
【０００８】
請求項３に記載の本考案を以下に示す。座枠をクッション材と表皮材で被膜した座席において、膝受け突出部２０ｂの骨格部２４の一端に回転軸受け２１ｂを設け、座枠３０の側枠３１の前端には回転軸３２ｂを側枠３１と垂直に設ける。これにより、膝受け突出部２０ｂを側枠３１に前後に回転可能となるように装着する。そして、隣席との境界部の座面に膝受け突出部２０ｂを格納するための凹部１３を設ける。さらに、膝受け突出部２０ｂの骨格部２４を、座部１０を構成するのと同様のクッション材と表皮材で被膜する。すなわち、請求項３に記載の本考案は、座部１０の隣席との境界部が回転により起き上がり、着座時の過度の開脚を防ぐ膝受け突出部２０ｂとして機能する座席であり、請求項１に記載の座席の応用である。
【０００９】
請求項４に記載の本考案を以下に示す。座枠をクッション材と表皮材で被膜した座席において、座枠３０の側枠３１の前端にはすべり軸受け３３を設け、膝受け突出部２０ｃの胴部骨格２２をすべり軸として、すべり軸受け３３に装着する。そして、膝受け突出部２０ｃの胴部骨格２２を装着した部分の座面に、膝受け突出部２０ｃを格納するための座部の穴１４を設ける。さらに、膝受け突出部２０ｃの頭部骨格２３を、座部１０を構成するのと同様のクッション材と表皮材で被膜する。すなわち、座部１０の隣席との境界部の前端が、上方または斜め前方に引き出されることによって、着座時の過度の開脚を防ぐ膝受け突出部２０ｃとして機能する座席であり、請求項１に記載の座席の応用である。
【００１０】
請求項５に記載の本考案を以下に示す。手摺を備えた座席において、手摺５０の一部が回転またはスライドにより、前方斜め下に伸び、着座時の過度の開脚を防ぐための膝受け突出部２０ｄとして機能する座席である。（図２５、図２６は回転の場合を示している。請求項１には属さない。）
【考案の効果】
【００１１】
本考案は、着座時に膝受け突出部（２０、２０ａ、２０ｂ、２０ｃ、２０ｄ）を引き出すことで、膝が過度に開くのを堰き止めることができる。これにより、一人分の専有幅の狭い座席でも、膝頭の側面が隣席の客と接触するおそれがなく、脱力したままでの着座状態を続けることができる。不要になれば、膝受け突出部（２０、２０ａ、２０ｂ、２０ｃ、２０ｄ）を格納し、邪魔になるのを防ぐことができる。
【図面の簡単な説明】
【００１２】
【図１】請求項１に記載の本考案（複数人掛け）の機能を表す模式図である。
【図２】請求項１に記載の本考案（１人掛け）の斜視図である。
【図３】請求項１に記載の本考案（２人掛け）の斜視図である。
【図４】請求項２に記載の本考案（１人掛け）の斜視図である。
【図５】膝受け突出部の突出時の、請求項２に記載の本考案（１人掛け）の座部の側面図である。
【図６】膝受け突出部の突出時の、請求項２に記載の本考案（１人掛け）の座枠の斜視図である。
【図７】膝受け突出部の格納時の、請求項２に記載の本考案（１人掛け）の斜視図である。
【図８】膝受け突出部の突出時の、請求項２に記載の本考案（１人掛け）の斜視図である。
【図９】膝受け突出部の格納時の、請求項２に記載の本考案（２人掛け）の座部の斜視図である。
【図１０】膝受け突出部の突出時の、請求項２に記載の本考案（２人掛け）の座部の斜視図である。
【図１１】膝受け突出部の格納時の、請求項２に記載の本考案（２人掛け）の座枠の斜視図である。
【図１２】膝受け突出部の突出時の、請求項２に記載の本考案（２人掛け）の座枠の斜視図である。
【図１３】膝受け突出部の格納時の、請求項２に記載の本考案（２人掛け）の座部の側面図である。
【図１４】膝受け突出部の突出時の、請求項２に記載の本考案（２人掛け）の座部の側面図である。
【図１５】膝受け突出部の格納時の、請求項２に記載の本考案（２人掛け）の斜視図である。
【図１６】膝受け突出部の突出時の、請求項２に記載の本考案（２人掛け）の斜視図である。
【図１７】膝受け突出部の格納時の、請求項３に記載の本考案（２人掛け）の座部の斜視図である。
【図１８】膝受け突出部の突出時の、請求項３に記載の本考案（２人掛け）の座部の斜視図である。
【図１９】膝受け突出部の格納時の、請求項３に記載の本考案（２人掛け）の座枠の斜視図である。
【図２０】膝受け突出部の突出時の、請求項３に記載の本考案（２人掛け）の座枠の斜視図である。
【図２１】膝受け突出部の格納時の、請求項４に記載の本考案（２人掛け）の座部の斜視図である。
【図２２】膝受け突出部の突出時の、請求項４に記載の本考案（２人掛け）の座部の斜視図である。
【図２３】膝受け突出部の格納時の、請求項４に記載の本考案（２人掛け）の座枠の斜視図である。
【図２４】膝受け突出部の突出時の、請求項４に記載の本考案（２人掛け）の座枠の斜視図である。
【図２５】膝受け突出部の格納時の、請求項５に記載の本考案（１人掛け）の斜視図である。
【図２６】膝受け突出部の突出時の、請求項５に記載の本考案（１人掛け）の斜視図である。
【考案を実施するための形態】
【００１３】
請求項２に記載の本考案は、図４〜図１６を参照して説明する。膝受け突出部２０ａの一端には回転軸受け２１ａを設ける。座枠３０の側枠３１の前端に、回転軸３２ａを側枠３１と垂直に設ける。図はすべて、前枠パイプ３４の端をそのまま、回転軸３２ａとして利用している。
一人掛けの座席または複数人掛けの座席の両端に装着する膝受け突出部２０ａの場合は、図４〜図８に示す通り、座部側面１７から突き出でた回転軸３２ａに、回転軸受け２１ａを介して膝受け突出部２０ａを装着する。すなわち、座部側面１７から膝受け突出部２０ａを、回転により出し入れできるようにする（図７、図８参照）。
複数人掛けの座席内の座部境界線１６上に装着する膝受け突出部２０ａの場合は図９〜図１６に示す通り、座部境界線１６上の側枠３１の前端に設けた回転軸３２ａに、Ｌ字型の膝受け突出部２０ａを装着する。座部境界線１６上の座席下部には、Ｌ字型の膝受け突出部２０ａを格納する座席下の空洞１８を設ける。すなわち、膝受け突出部２０ａを、回転により、座席下の空洞１８から出し入れできるようにする（図１５、図１６参照）。
【００１４】
請求項３に記載の本考案は、図１７〜図２０を参照して説明する。膝受け突出部２０ｂの骨格部２４の一端に回転軸受け２１ｂを、座枠３０の側枠３１の前端には回転軸３２ｂを側枠３１と垂直にそれぞれ設け、膝受け突出部２０ｂの骨格部２４を、側枠３１の前端の回転軸３２ｂに装着する。（図１７〜図２０は、前枠パイプ３４をそのまま、回転軸３２ｂとして利用している。）膝受け突出部２０ｂの骨格部を装着した部位に、凹部１３を設ける。膝受け突出部２０ｂの骨格を、座部１０を構成するのと同様のクッション材と表皮材で被膜し、凹部１３に大きさと形を合わせる。すなわち、これにより、座部１０の隣席との境界部が回転により起き上がり、着座時の過度の開脚を防ぐ膝受け突出部２０ｂとして機能する。（図１７〜図２０は複数人掛けの座席の場合を描いている）
【００１５】
請求項４に記載の本考案は、図２１〜図２４を参照して説明する。座枠３０の側枠３１の前端にはすべり軸受け３３を設け、膝受け突出部２０ｃの胴部骨格２２をすべり軸として、すべり軸受け３３に装着する。そして、膝受け突出部２０ｃの胴部骨格２２を装着した部分の座面に、座部の穴１４を設ける。膝受け突出部２０ｃの頭部骨格２３を、座部１０を構成するのと同様のクッション材と表皮材で被膜し、座部の穴１４に大きさと形を合わせる。これにより座部１０の隣席との境界部の前端が、上方または斜め前方に引き出されることによって、着座時の過度の開脚を防ぐ膝受け突出部２０ｃとして機能する。（図２１〜図２４は２人掛けの座席の場合を描いている）
【００１６】
請求項５に記載の本考案は、図２５〜図２６を参照して説明する。手摺５０前端に、回転軸３２ｃを手摺５０と垂直に設け、一端に回転軸受け２１ｃを設けた膝受け突出部２０ｄを装着する。すなわち、膝受け突出部２０ｄを手摺５０に平行に折りたためば、格納され手摺５０と一体化した状態となる。膝受け突出部２０ｄを回転させ、斜め下に突き出せば、着座時の過度の開脚を防ぐための機能を果たす。
【符号の説明】
【００１７】
１０    座部
１１    座部前縁
１２    背もたれ
１３    凹部
１４    座部の穴
１５    前端上部の欠け
１６    座部境界線
１７    座部側面
１８    座席下の空洞
１９    座部側縁
２０    膝受け突出部
２０ａ  膝受け突出部
２０ｂ  膝受け突出部
２０ｃ  膝受け突出部
２０ｄ  膝受け突出部
２１ａ  回転軸受け
２１ｂ  回転軸受け
２１ｃ  回転軸受け
２２    胴部骨格（すべり軸）
２３    頭部骨格
２４    骨格部
３０    座枠
３１    側枠
３２ａ  回転軸
３２ｂ  回転軸
３２ｃ  回転軸
３３    すべり軸受け
３４    前枠パイプ
５０    手摺
７０    膝関節裏の隙間
７１    膝の側面
【図１】
0003155123.tif 000003
【図２】
0003155123.tif 000004
【図３】
0003155123.tif 000005
【図４】
0003155123.tif 000006
【図５】
0003155123.tif 000007
【図６】
0003155123.tif 000008
【図７】
0003155123.tif 000009
【図８】
0003155123.tif 000010
【図９】
0003155123.tif 000011
【図１０】
0003155123.tif 000012
【図１１】
0003155123.tif 000013
【図１２】
0003155123.tif 000014
【図１３】
0003155123.tif 000015
【図１４】
0003155123.tif 000016
【図１５】
0003155123.tif 000017
【図１６】
0003155123.tif 000018
【図１７】
0003155123.tif 000019
【図１８】
0003155123.tif 000020
【図１９】
0003155123.tif 000021
【図２０】
0003155123.tif 000022
【図２１】
0003155123.tif 000023
【図２２】
0003155123.tif 000024
【図２３】
0003155123.tif 000025
【図２４】
0003155123.tif 000026
【図２５】
0003155123.tif 000027
【図２６】
0003155123.tif 000028